(57)【要約】【課題】印刷物として本来の機能を維持しつつ、使い勝手がよい入力装置を提供する。【解決手段】旅行ガイド１は、表示画面に処理内容を表示する情報提供サーバに処理を行わせるコマンド情報と、該コマンド情報に付加される付加情報とが、読取装置により読み取り可能なコードとして付与された入力装置として機能するものである。旅行ガイド１は、情報シート１１と、おもて表紙１２１ａおよび裏表紙１２１ｂとを有するカバー本体１２１、裏表紙１２１ｂの小口側に連接された操作用シート片１２２とを備えたカバー１２とから構成されている。操作用シート片１２２は、未使用状態においては裏表紙１２１ｂの内側に折り畳まれ、使用状態においてはおもて表紙１２１ａと裏表紙１２１ｂとの間から取り出す。四国旅行が掲載された情報シート１１を見ながら操作用シート片１２２に印刷されたアイコンを用いて情報提供サーバへのコマンドなどを入力することができる。【選択図】図２
2010198245.tif 000002
【特許請求の範囲】
【請求項１】
表示画面に処理内容を表示するコンピュータに処理を行わせるコマンド情報と、該コマンド情報に付加される付加情報とが読取装置により読み取り可能なコードとして付与された冊子状の入力装置であって、
１枚以上のリーフレット状の印刷媒体と、
該印刷媒体を挟むように折り畳んだときの内側の位置に、前記印刷媒体の一部を収納するポケットが設けられた、前記印刷媒体より厚みが厚いおもて表紙および裏表紙からなるカバー本体、および前記おもて表紙および前記裏表紙のうちの少なくとも一方の小口側に連接され、未使用状態においては前記おもて表紙および裏表紙の間に折り畳まれ、使用状態においては前記おもて表紙と前記裏表紙との間から操作可能に取り出される操作用シート片から形成されたカバーとを備え、
前記印刷媒体には、印刷された視認コンテンツに対応した前記付加情報に対応する前記コードが付与され、
前記操作用シート片には、各視認コンテンツに関連した前記コマンド情報を示すアイコンが印刷されていると共に、該アイコンが印刷された位置に前記コマンド情報に対応する前記コードが付与されていることを特徴とする入力装置。
【請求項２】
前記アイコンは、前記印刷媒体に共通した前記コマンド情報である請求項１記載の入力装置。
【請求項３】
１つの前記アイコンの位置に付与された前記コードは、前記印刷媒体に付与された前記コードとは体系が異なるものであると共に、他の前記アイコンと区別可能な識別情報を示すものである請求項１記載の入力装置。
【請求項４】
前記操作用シート片には、前記表示画面に表示された表示内容を拡大することを前記コンピュータに指示する拡大表示用の前記コマンド情報を示す前記アイコンが印刷されていると共に、該アイコンが印刷された位置に前記拡大表示用のコマンド情報に対応する前記コードが付与されている請求項１に記載の入力装置。
【請求項５】
前記操作用シート片には、前記表示画面に選択項目を示すリストを表示させることを前記コンピュータに指示するリスト表示用の前記コマンド情報を示す前記アイコンが印刷されていると共に、該アイコンが印刷された位置に前記リスト表示用のコマンド情報に対応する前記コードが付与されている請求項１に記載の入力装置。
【請求項６】
前記操作用シート片には、前記表示画面における選択位置を所定方向に移動させることを前記コンピュータに指示する移動用の前記コマンド情報を示す前記アイコンが印刷されていると共に、該アイコンが印刷された位置に前記移動用のコマンド情報に対応する前記コードが付与されている請求項１に記載の入力装置。
【請求項７】
前記操作用シート片には、前記視認コンテンツに対応した前記付加情報に対応させて付与された前記コードに関連した動画の再生を、前記コンピュータに指示する動画再生用の前記コマンド情報を示す前記アイコンが印刷されていると共に、該アイコンが印刷された位置に前記動画再生用のコマンド情報に対応する前記コードが付与されている請求項１に記載の入力装置。
【発明の詳細な説明】
【技術分野】
【０００１】
本発明は、視認コンテンツが印刷されたシート状の印刷媒体に読取可能な情報パターンが印刷され、このパターンを読取装置により読み取らせることで、コンピュータを操作することができるリーフレット状の印刷媒体とこの印刷媒体を収納するカバーとを備えた入力装置に関する。
【背景技術】
【０００２】
印刷物を、コンピュータのキーボードやマウス、タッチパネルなどの代わりに、入力装置として機能させることについて、特許文献１に記載されたものが知られている。
【０００３】
特許文献１に記載の経路入力装置は、地図情報が印刷された地図領域と、時間情報を入力するための時間情報入力領域と、出発地や目的地を入力するためのコマンド入力領域とが同じページ上に印刷された地図帳から、情報パターンで表された位置情報をペン型入力装置により読み取り、読み取った位置情報をナビゲーション装置へ転送することで、経路探索のための情報を入力するものである。
この経路入力装置によれば、地図情報が印刷された地図帳のページを捲りながら、行きたい場所を目的地として選択できるので、操作者にとっては直感的に場所が理解しやすい。
【先行技術文献】
【特許文献】
【０００４】
【特許文献１】特開２００８−８９３５５号公報
【発明の概要】
【発明が解決しようとする課題】
【０００５】
しかし、特許文献１に記載の経路入力装置は、地図領域と、時間情報入力領域と、コマンド入力領域とが、同じページ上に印刷された地図帳であるため、限られた１ページの面積の中では、時間情報入力領域とコマンド入力領域とを確保しようとすると、地図領域を広く確保することができない。従って、地図帳としての印刷物の本来の機能を発揮することができない。
【０００６】
また、ページによっては、地図領域が占める形状が異なることで、空いたスペースに配置される時間情報入力領域とコマンド入力領域とが、各ページごとに印刷される位置が異なることが想定される。そうなると時間情報入力領域とコマンド入力領域とが入力しにくい場所に配置されてしまい、使い勝手が悪くなるおそれがある。
【０００７】
そこで本発明は、印刷物として本来の機能を維持しつつ、使い勝手がよい入力装置を提供することを目的とする。
【課題を解決するための手段】
【０００８】
本発明は、表示画面に処理内容を表示するコンピュータに処理を行わせるコマンド情報と、該コマンド情報に付加される付加情報とが読取装置により読み取り可能なコードとして付与された冊子状の入力装置であって、１枚以上のリーフレット状の印刷媒体と、該印刷媒体を挟むように折り畳んだときの内側の位置に、前記印刷媒体の一部を収納するポケットが設けられた、前記印刷媒体より厚みが厚いおもて表紙および裏表紙からなるカバー本体、および前記おもて表紙および前記裏表紙のうちの少なくとも一方の小口側に連接され、未使用状態においては前記裏表紙の内側に折り畳まれ、使用状態においては前記おもて表紙と前記裏表紙との間から操作可能に取り出される操作用シート片から形成されたカバーとを備え、前記印刷媒体には、印刷された視認コンテンツに対応した前記付加情報に対応する前記コードが付与され、前記操作用シート片には、各視認コンテンツに関連した前記コマンド情報を示すアイコンが印刷されていると共に、該アイコンが印刷された位置に前記コマンド情報に対応する前記コードが付与されていることを特徴とする。
【０００９】
本発明の入力装置は、コマンド情報に対応するコードと、付加情報に対応するコードとを読取装置により読み取らせることで、表示画面に処理内容を表示するコンピュータに対して処理を行わせるためのコマンド情報と、コマンド情報に付加される付加情報とを入力するリーフレットと、このリーフレットを収納するカバーとを備えた印刷物である。この入力装置は、未使用状態においては、操作用シート片がおもて表紙と裏表紙との間に折り畳まれることで、取り扱いが粗略でも操作用シート片が折れ曲がったり損傷したりしにくい。そして、使用状態においては操作用シート片を操作可能に取り出すことで、処理を行わせるコマンド情報と、コマンド情報に付加される付加情報とを示すコードを読取装置により読み取らせることができる。従って、カバー本体に設けられた操作用シート片と印刷媒体とが別々に設けられていることで、印刷媒体には視認コンテンツをページ一面全体に印刷することができる。また、操作用シート片は、印刷媒体より厚みの厚いおもて表紙または裏表紙の少なくとも一方の小口側に連接されていることで、おもて表紙や裏表紙と同質の厚みの厚い操作用シート片とすることができる。従って、使用状態のときに操作用シート片を取り出して使っていても、より破損や折れ曲がりに強い。
【００１０】
前記アイコンは、各印刷媒体に共通したコマンド情報であると、それぞれの印刷媒体の内容に個別に対応させた操作用シート片を設ける必要がないので、印刷媒体を捲りながら１枚の操作用シート片によりコマンド情報や付加情報を入力することができる。
【００１１】
１つの前記アイコンの位置に付与された前記コードは、前記印刷媒体に付与された前記コードとは体系が異なるものであると共に、他の前記アイコンと区別可能な識別情報を示すものであるのが望ましい。アイコンの位置に付与されたコードが、印刷媒体に付与されたコードと同じ体系の読み取られた位置や座標を示す位置情報であると、コンピュータ側で読み取った位置情報から、対応するコマンドを判別するために、位置情報がどのアイコンの範囲に含まれるものか否かの判定が必要となり、処理が煩雑となる。コードが他のアイコンと区別可能な識別情報であると、読み取ったアイコンを識別情報から容易に判断することができるので、コンピュータ側での処理負担や開発負担を軽減することができる。
【００１２】
前記操作用シート片には、表示画面に表示された表示内容を拡大することを前記コンピュータに指示する拡大表示用の前記コマンド情報を示すアイコンが印刷されていると共に、該アイコンが印刷された位置に前記拡大表示用のコマンド情報に対応する前記コードが付与されているのが望ましい。操作用シート片に表示画面に表示された表示内容を拡大することをコンピュータに指示するコマンド情報を示すアイコンが設けられていると、読取装置によりこのアイコンに付与されたコードを読み取ることで、表示内容を拡大させる指示をコンピュータに対して入力することができる。
【００１３】
前記操作用シート片には、前記表示画面に選択項目を示すリストを表示させることを前記コンピュータに指示するリスト表示用のコマンド情報を示す前記アイコンが印刷されていると共に、該アイコンが印刷された位置に前記リスト表示用のコマンド情報に対応する前記コードが付与されているのが望ましい。操作用シート片に表示画面に選択項目を示すリストを表示させることをコンピュータに指示するコマンド情報を示すアイコンが設けられていると、読取装置によりこのアイコンに付与されたコードを読み取ることで、選択項目を示すリストを表示させる指示をコンピュータに対して入力することができる。
【００１４】
前記操作用シート片には、前記表示画面における選択位置を所定方向に移動させることを前記コンピュータに指示する移動用の前記コマンド情報を示す前記アイコンが印刷されていると共に、該アイコンが印刷された位置に前記移動用のコマンド情報に対応するコードが付与されているのが望ましい。操作用シート片に表示画面における選択位置を所定方向に移動させることをコンピュータに指示するコマンドを示すアイコンが設けられていると、読取装置によりこのアイコンに付与されたコードを読み取ることで、選択位置を所定方向に移動させる指示をコンピュータに対して入力することができる。
【００１５】
前記操作用シート片には、前記視認コンテンツに対応した前記付加情報に対応させて付与された前記コードに関連した動画の再生を、前記コンピュータに指示する動画再生用の前記コマンド情報を示す前記アイコンが印刷されていると共に、該アイコンが印刷された位置に前記動画再生用のコマンド情報に対応する前記コードが付与されているのが望ましい。操作用シート片に視認コンテンツに関連した動画の再生を、コンピュータに指示するコマンドを示すアイコンが設けられていると、視認コンテンツに対応した付加情報に対応させて付与されたコードを読取装置により読み取ると共に、読取装置によりこのアイコンに付与されたコードを読み取ることで、視認コンテンツに関連した動画の再生の指示をコンピュータに対して入力することができる。
【発明の効果】
【００１６】
本発明の入力装置は、視認コンテンツが印刷されたリーフレット状の印刷媒体とは別に、カバー本体に操作用シート片が設けられていることで、ページ一面全体に視認コンテンツが印刷された印刷媒体を見ながら、操作用シート片を開いた状態で操作用シート片上を、読取装置により読取操作してコンピュータに対してコマンドを入力することができる。よって、本発明の入力装置は、印刷物として本来の機能を維持しつつ、使い勝手をよいものとすることができる。
【図面の簡単な説明】
【００１７】
【図１】本発明の実施の形態１に係る旅行ガイドを入力装置として用いた情報提供システムの構成を示す図である。
【図２】図１に示す情報提供システムの旅行ガイドの斜視図である。
【図３】ドットパターンの一例を示す図である。
【図４】図１に示す情報提供システムの読取装置の構成を示すブロック図である。
【図５】図１に示す情報提供システムの携帯電話の構成を示すブロック図である。
【図６】図１に示す情報提供システムの情報提供サーバの構成を示すブロック図である。
【図７】「観光地と施設」ボタンを選択したときの表示画面の一例を示す図である。
【図８】「食事とお土産」ボタンを選択したときの表示画面の一例を示す図である。
【図９】「宿泊情報」ボタンを選択したときの表示画面の一例を示す図である。
【図１０】「交通情報」ボタンを選択したときの表示画面の一例を示す図である。
【図１１】「リスト表示」ボタンを選択したときの表示画面の一例を示す図である。
【図１２】レンタカーを示すマークを選択したときの表示画面の一例を示す図である。
【図１３】昼食を示す位置にある文字を選択したときの表示画面の一例を示す図である。
【図１４】観光地を示す位置にある文字を選択したときの表示画面の一例を示す図である。
【図１５】本発明の実施の形態２に係る料理ガイドを入力装置として用いた情報提供システムの構成を示す図である。
【図１６】図１５に示す情報提供システムの料理ガイドの斜視図である。
【発明を実施するための形態】
【００１８】
（実施の形態１）
本発明の実施の形態１に係る入力装置を図面に基づいて説明する。本実施の形態１では、旅行ガイドを入力装置として使用した例を説明する。
図１に示すように旅行ガイド１は、旅行に関する情報を検索する入力装置として機能する、リーフレット状の印刷媒体とこの印刷媒体を収納するカバーとを備えた印刷物である。本実施の形態１では、旅行ガイド１として四国旅行を掲載したものを例に説明する。
【００１９】
この旅行ガイド１を用いた情報提供システム１００は、旅行ガイド１からコマンドなどを読み取る読取装置２と、読取装置２と接続され、読み取ったコードを送信したり、提供された情報を表示したりする携帯電話３と、受信したコードに基づいて処理を行い、情報を提供する情報提供サーバ４とを備えている。携帯電話３と情報提供サーバ４とは、ネットワークの一例であるインターネットＷに通信可能に接続されている。図１においては、携帯電話３が通信する中継局や基地局は図示していない。
【００２０】
図２に示すように、旅行ガイド１は、印刷媒体である紙媒体に、視認コンテンツとしてユーザに提供する情報が印刷された情報シート１１と、情報シート１１を収納するカバー１２とを備えている。視認コンテンツとは、視覚的に把握することができる印刷された情報を指す。
情報シート１１は、中央で二つ折りされる見開き２ページに形成されたリーフレットである。情報シート１１は、視認コンテンツとして旅行概要が掲載された表示欄と行程の詳細が掲載された一覧表とが印刷された左側の行程ページ１１１と、同様に視認コンテンツとして四国を示す地図上に、行程を示す順路が印刷された右側の行程順路マップページ１１２とから構成されている。
カバー１２は、おもて表紙１２１ａおよび裏表紙１２１ｂからなるカバー本体１２１と、裏表紙１２１ｂ側の小口側に連設された操作用シート片１２２とを備えている。
おもて表紙１２１ａおよび裏表紙１２１ｂは、情報シート１１より厚みが厚く形成されている。裏表紙１２１ｂには、情報シート１１を挟むように折り畳んだときの内側の下部に、情報シート１１の下部を収納することで、情報シート１１を保持するポケット１２３が設けられている。
このポケット１２３は、略台形状に形成され、下端が裏表紙１２１ｂと連接されていると共に、右端が裏表紙１２１ｂの表面と接着されている。
【００２１】
操作用シート片１２２は、裏表紙１２１ｂと一体的に連接されていることで、裏表紙１２１ｂと同質の厚みの厚い紙媒体で形成されている。操作用シート片１２２には、縦列にアイコン群Ａが印刷されている。
アイコン群Ａは、コマンドボタン群Ａ１として「観光地と施設」ボタンＡ１１と、「食事とお土産」ボタンＡ１２と、「宿泊情報」ボタンＡ１３と、「交通機関」ボタンＡ１４と、「周辺マップ」ボタンＡ１５と、「拡大」ボタンＡ１６と、「リスト表示」ボタンＡ１７と、終了ボタンＡ１８とが印刷されている。また、アイコン群Ａは、選択操作ボタン群Ａ２として、「上へ」ボタンＡ２１と、「決定」ボタンＡ２２と、「下へ」ボタンＡ２３と、「戻る」ボタンＡ２４と、「次へ」ボタンＡ２５とが印刷されている。
この操作用シート片１２２に印刷されたアイコン群Ａと、情報シート１１とには、読取装置２によって読み取られるドットパターンが印刷されている。ドットパターンは、小さい黒点の集合である。例えば、図３に示すようなドットパターンが付与されている。ドットパターンは、ドットの配置によりコマンド情報やコマンド情報に付加される付加情報に対応するコードを表したものである。アイコン群Ａには他のアイコンと区別可能な識別情報に対応するコードを表したドットパターンが印刷されている。
【００２２】
また、情報シート１１に印刷されたドットパターンは、他の情報シートと識別するための識別情報に対応するコードと、そのシートの座標を示す位置情報に対応するコードとが印刷されている。
また、ドットパターンは、ドットの一つ一つを目視できないような大きさに印刷することにより、視認コンテンツおよびアイコンの見映えを損なわないようにすることが好ましい。
【００２３】
次に、読取装置２について、図４に基づいて説明する。
読取装置２は、情報シート１１や操作用シート片１２２に印刷されたドットパターンに先端を向けて読み取るペン型の光学的読取装置である。読取装置２は、携帯電話３のＵＳＢ（Universal Serial Bus）端子に接続ケーブルを介して接続される。
読取装置２は、照明手段２１と、読取手段２２と、パターン認識手段２３と、通信手段２４とを備えている。
【００２４】
照明手段２１は、紙面を明るく照射するためのもので、ＬＥＤ（Light Emitting Diode）が使用できる。読取手段２２は、紙面に印刷されたドットパターンをイメージデータとして読み取るもので、例えばＣＣＤ（Charge Coupled Device）などが使用できる。パターン認識手段２３は、読取手段２２により読み取ったイメージデータをパターン認識によりコードに変換する。通信手段２４は、パターン認識手段２３から出力されたコードを携帯電話３へ出力するＵＳＢインタフェースである。
【００２５】
次に携帯電話３について、図５に基づいて説明する。図５においては、電話機能は図示していない。
携帯電話３は、旅行情報検索アプリケーションプログラムを動作させることで、読取装置２からのコードをインターネットＷ上の情報提供サーバ４へ送信して、情報提供サーバ４の処理内容を受信して表示する旅行情報検索装置として機能するものである。
携帯電話３は、通信手段３１と、入力手段３２と、表示手段３３と、無線手段３４と、制御手段３５とを備えている。
【００２６】
通信手段３１は、読取装置２からのコードを受信するＵＳＢインタフェースである。入力手段３２は、数字キー、記号キー、機能キー、十字キー（カーソルキーまたは選択キー）などから構成されている。表示手段３３は、ＬＣＤ（Liquid Crystal Display）や有機ＥＬ（Organic Electro-Luminescence）などが使用できる。無線手段３４は、無線信号により基地局または中継局と通信するものであり、制御手段３５からの送信パケットを変調したり、受信パケットを復調して制御手段３５へ出力したりする機能を備えている。制御手段３５は、携帯電話３全体を統括制御する機能を備えている。
【００２７】
次に、情報提供サーバ４について、図６に基づいて説明する。
情報提供サーバ４は、携帯電話３からのコードが示すコマンド情報および付加情報に基づいて処理をするコンピュータで、旅行情報提供装置として機能するものである。
情報提供サーバ４は、通信手段４１と、入力手段４２と、表示手段４３と、制御手段４４と、記憶手段４５とを備えている。
【００２８】
通信手段４１は、インターネットＷを介して携帯電話３と通信する機能を備えており、例えば、ＡＤＳＬ（Asymmetric Digital Subscriber Line）や、ＦＴＴＰ（Fiber To The Premises）と接続するＬＡＮ（Local Area Network）とすることができる。入力手段４２および表示手段４３はメンテナンスの際に使用される。入力手段４２は、キーボードやマウスとすることができる。表示手段４３は、ＣＲＴ（Cathode Ray Tube）やＬＣＤとすることができる。
制御手段４４は、コード解析手段４４１と、検索手段４４２と、表示画面生成手段４４３と、処理手段４４４とを備えている。
コード解析手段４４１は、携帯電話３から送信されたコードを解析して処理手段４４４へ通知する。検索手段４４２は、処理手段４４４からの指示により記憶手段４５内に格納されたデータベースへアクセスして検索結果を処理手段４４４へ出力する。表示画面生成手段４４３は、処理手段４４４からの表示データに基づいて携帯電話３へ表示させる画面を生成する。処理手段４４４は、情報提供サーバ４全体を統括制御する機能を備えている。
記憶手段４５は、様々な情報が検索手段４４２によって検索可能な状態で格納されているデータベースである。本実施の形態１では、記憶手段４５に、観光地に関する情報、交通機関に関する情報、宿泊施設に関する情報、飲食店に関する情報、文化施設に関する情報、史跡に関する情報、電子地図情報、静止画、動画などの旅行情報が、旅行ガイドデータベースとして構築されている。この記憶手段４５は、大容量で高速アクセスが可能なハードディスクドライブを採用することができる。
【００２９】
以上のように構成された本発明の実施の形態１に係る情報提供システム１００の動作および使用状態を、図７から図１５に基づいて説明する。
まず、操作用シート片１２２を使用していない場合には、操作用シート片１２２を内側に折り込むことで、情報シート１１より厚みが厚いおもて表紙１２１ａおよび裏表紙１２１ｂの間に折り畳まれた状態となる。実施の形態１においては、操作用シート片１２２は、裏表紙１２１ｂの小口側に連接されており、アイコン群Ａは谷折された状態で内側に位置するようになる。操作用シート片１２２を使用する場合には、操作用シート片１２２を外側へ開くことで、操作可能に取り出せる。
【００３０】
次に、携帯電話３の入力手段３２を操作して、旅行情報検索アプリケーションプログラムを起動して、情報提供サーバ４へアクセスする。
この旅行ガイド１の使用方法は、最初に、知りたいところの位置に印刷されたドットパターンを読取装置２により読み取ることで付加情報を読み取ってポイント選択し、次に、アイコン群Ａの中から該当するアイコンに印刷されたドットパターンを読取装置２により読み取ることでコマンド情報を読み取って機能選択する手順である。
【００３１】
例えば、自宅にて、これから行く観光地の情報を得ようとする場合には、図７に示すように、まずユーザは、行程順路マップページ１１２の地図中の観光地（例えば「松山」Ｐ１）に読取装置２を向ける。読取装置２は、「松山」Ｐ１に印刷されたドットパターンを読取手段２２により読み取り、読み取ったドットパターンをパターン認識手段２３により対応したコードに変換して、通信手段２４を介して携帯電話３に出力する。携帯電話３では、制御手段３５が読取装置２からのコードを、無線手段３４を介して情報提供サーバ４へ送信する。
【００３２】
情報提供サーバ４では、コード解析手段４４１が受信したコードを解析する。コード解析手段４４１は、解析した結果、四国旅行を示す情報シート１１であることを示す識別情報に対応するコードと、そのシートの「松山」Ｐ１が位置する座標を示す位置情報に対応するコードであることを、処理手段４４４に対して通知する。処理手段４４４は、コード解析手段４４１からの通知により、付加情報となる「松山」に続くコマンド情報の送信待ちをする。
【００３３】
次に、ユーザは、操作用シート片１２２の「観光地と施設」ボタンＡ１１に読取装置２を向けて、「観光地と施設」ボタンＡ１１の位置のドットパターンを読み取る。読取装置２は、読み取ったドットパターンをパターン認識手段２３により対応したコードに変換して、通信手段２４を介して携帯電話３に出力する。
携帯電話３では、制御手段３５が読取装置２からのコードを、無線手段３４を介して情報提供サーバ４へ送信する。
【００３４】
情報提供サーバ４では、コード解析手段４４１が受信したコードを解析する。コード解析手段４４１は、解析した結果、「観光地と施設」について表示することを要求するコマンドであると判定すると、処理手段４４４に対してその旨を通知する。
処理手段４４４は、「松山」を示す付加情報と「観光地と施設」を示すコマンド情報とから、「松山」の観光情報を表示することを要求されていることを判定すると、検索手段４４２に「松山」の観光情報についての検索をさせる。
検索手段４４２は、「松山」の観光情報を、記憶手段４５の旅行情報データベースから検索する。処理手段４４４は、検索手段４４２により検索された観光情報に基づいて表示画面生成手段４４３に、観光情報を提供する表示画面の生成を指示する。生成された表示画面は、通信手段４１を介して携帯電話３へ送信される。
これにより携帯電話３の表示手段３３には、選択された観光地「松山」に関する観光情報が表示される。図７に示す例では、城、博物館、温泉などに関する情報が表示されている。
【００３５】
観光地での食事やお土産に関する情報を得ようする場合には、図８に示すように、まず行程順路マップページ１１２の地図中の観光地（例えば「松山」Ｐ１）に読取装置２を向け、印刷されたドットパターンを読み取る。次に、操作用シート片１２２の「食事とお土産」ボタンＡ１２の位置のドットパターンを読み取る。これにより携帯電話３の表示手段３３には、情報提供サーバ４から送信された「松山」に関する食事やお土産に関する情報が表示される。図８の例では、飲食店やお土産や外観写真や、店舗の特徴、平均予算などの情報が表示されている。
【００３６】
宿泊施設の情報を得ようとする場合には、図９に示すように、宿泊予定の場所（例えば、「室戸岬」Ｐ２）をポイント選択すると共に、「宿泊情報」ボタンＡ１３を機能選択すると、ホテルや旅館、民宿などの情報が表示される。図９の例では、ホテルの外観写真と、ホテル名、所在地、宿泊費、特徴などが表示されている。
観光地の交通についての情報を得ようする場合には、図１０に示すように、まず行程順路マップページ１１２の地図中の観光地（例えば「松山」Ｐ１）をポイント選択すると共に、「交通機関」ボタンＡ１４を機能選択すると、飛行機の時刻表、レンタカー情報、私鉄情報などの交通機関に関する情報が表示される。
観光地の周辺についての情報を得ようとする場合には、観光地をポイント選択すると共に、「周辺マップ」ボタンＡ１５を機能選択すると、周辺地域の観光地を案内する情報が表示される。
【００３７】
また、図１１に示すように、まず行程順路マップページ１１２の地図中の観光地（例えば「松山」Ｐ１）に読取装置２を向け、印刷されたドットパターンを読み取った後に、「リスト表示」ボタンＡ１７のドットパターンを読取装置２により読み取らせ、リスト表示を機能選択することも可能である。
情報提供サーバ４の処理手段４４４は、コード解析手段４４１から「リスト表示」ボタンＡ１７に対応するコードであることが通知されると、松山に関するそれぞれの情報を記憶手段４５の旅行情報データベースから検索させる。処理手段４４４は、検索結果に基づいて表示画面生成手段４４３に、松山に関する情報についてのリスト画面の生成を指示する。図１１の例では、「宿泊施設」情報や、「グルメ」情報、「スイーツ」情報、「おみやげ」情報、「穴場」情報、「口コミ」情報などがリスト表示されている。
【００３８】
ユーザは、このリスト表示された中から希望の情報を閲覧することができる。閲覧するときには、選択操作ボタン群Ａ２の中から、「上へ」ボタンＡ２１または「下へ」ボタンＡ２３のいずれかのドットパターンを読取装置２により読み取らせる。
携帯電話３の制御手段３５は、読取装置２からのコードが「上へ」ボタンＡ２１に対応するコードであれば、選択画面中の太枠線により項目を強調表示しているカーソルを上へ移動させる。また、「下へ」ボタンＡ２３に対応するコードであれば、カーソルを下へ移動させる。そして、表示させたい項目の上にカーソルが移動したら「決定」ボタンＡ２２を読み取らせる。そうすることで、リスト表示された中から参照したい項目が選択されたことになる。
【００３９】
選択されたことが携帯電話３から情報提供サーバ４へ通知されると、情報提供サーバ４の処理手段４４４は、選択された項目、例えば、松山の「穴場」情報について、検索手段４４２に旅行情報データベースから検索させる。
そして、処理手段４４４は、検索された松山の「穴場」情報に基づいて表示画面生成手段４４３に表示画面を生成させ、携帯電話３へ送信させる。
このようにして「リスト表示」ボタンＡ１７により行程順路マップページ１１２上の観光地に関する情報をリスト表示させ、選択操作ボタン群Ａ２を操作して項目選択して、必要な情報を得ることができる。
【００４０】
次に、行程ページ１１１を使用して、各種の旅行情報を得る方法を説明する。
例えば、図２に示す行程ページ１１１によれば、１日目に松山空港からレンタカーを使用して松山城へ向かうことになっている。ユーザが、自宅や旅行先で、レンタカー業者の所在地や連絡先などのレンタカーに関する情報を調べる場合には、読取装置２をレンタカーを示すマークＰ３に向けてドットパターンを読み取る（図１２参照）。
読取装置２は、読み取ったドットパターンをパターン認識手段２３により対応したコードに変換して、通信手段２４を介して携帯電話３に出力する。携帯電話３では、制御手段３５が読取装置２からのコードを、無線手段３４を介して情報提供サーバ４へ送信する。
【００４１】
情報提供サーバ４では、コード解析手段４４１が受信したコードを解析する。コード解析手段４４１は、解析した結果、四国旅行を示す情報シート１１であることを示す識別情報に対応するコードと、マークＰ３が位置する座標を示す位置情報に対応するコードであることにより四国旅行の１日目のレンタカーに関する情報の要求するコマンドであると判定すると、処理手段４４４に対して、その旨を通知する。
処理手段４４４は、コード解析手段４４１からの通知により、記憶手段４５の旅行情報データベースから、四国旅行の１日目のレンタカーに関する情報を検索する。
処理手段４４４は、検索手段４４２により検索されたレンタカーに関する情報に基づいて表示画面生成手段４４３に、レンタカー業者の所在を示す地図情報と、連絡先などの文字情報とを表示する表示画面の生成を指示する。生成された表示画面は、通信手段４１を介して携帯電話３へ送信される。
【００４２】
１日目の昼食としてどの飲食店が予定に組まれているか、ユーザが知りたい場合には、「昼食（内子／△△）の文字上に読取装置２を向け、ドットパターンを読み取ることで、昼食を取る飲食店の情報が得られる。図１３に示す例では、店舗名、営業時間、連絡先、予算、などの店舗に関する文字情報や、店舗の写真、料理例の写真などが表示されている。
また、３日目に徳島県日和佐を訪れることになっているが、ユーザが日和佐周辺の地図情報を知りたい場合には、日和佐（○○□□博物館）の文字上に読取装置２を向け、ドットパターンを読み取ることで、図１４に示すような日和佐周辺の「○○□□博物館」を含む地図情報が得られる。
【００４３】
ここで、「拡大」ボタンＡ１６に読取装置２を向け、ドットパターンを読み取る。読取装置２から情報提供サーバ４へ拡大を示すコマンド情報に対応するコードが送信されることで、情報提供サーバ４は地図画面を拡大表示した地図画面を生成して携帯電話３へ送信する。そうすることで、小さい画面の携帯電話３では判りにくい地図画面を、拡大した状態で参照することができる。
このとき、地図画面を移動させることで表示範囲を変更したい場合には、移動させたい方向に応じて、上側方向であれば「上へ」ボタンＡ２１を、下側方向であれば「下へ」ボタンＡ２３を、左側方向であれば「戻る」ボタンＡ２４を、右側方向であれば「次へ」ボタンＡ２５により表示される地図画面の範囲を移動させることができる。
【００４４】
このように本実施の形態１に係る旅行ガイド１は、カバー１２と共に情報シート１１を開き、折り畳まれた操作用シート片１２２を取り出すと、旅行概要の表示欄と行程の一覧表とが印刷された行程ページ１１１と、行程を示す順路が印刷された行程順路マップページ１１２とは別の位置に、操作用シート片１２２が位置するので、シート一面全体に視認コンテンツを印刷することができる。従って、シート一面全体に印刷された情報シート１１を見ながら、操作用シート片１２２を開いた状態で、操作用シート片１２２上を読取装置２により読取操作することで情報提供サーバ４に対してコマンドを入力することができ、旅行に関する情報を得ることができる。よって、旅行ガイド１は、印刷物として本来の機能を維持しつつ、使い勝手がよいものである。
【００４５】
また、情報シート１１はリーフレット状の印刷物なので、カバー１２と離した状態で、操作用シート片１２２を操作してもよい。例えば、情報シート１１を持ち上げながら読取装置２によりドットパターンを読み取らせつつ、机上に置いたカバー１２の操作用シート片１２２のドットパターンを読取装置２により読み取らせて操作することも可能である。このように旅行ガイド１は、操作する際の姿勢の自由度が高いので、操作しやすい姿勢や状態で、旅行情報を得ることができる。
【００４６】
操作用シート片１２２は、未使用状態において、おもて表紙１２１ａおよび裏表紙１２１ｂの間に折り畳まれて挟まれているので、取り扱いが粗略でも操作用シート片１２２が折れ曲がったり損傷したりしにくい。
【００４７】
カバー１２は、操作用シート片１２２を裏表紙１２１ｂと同質の紙媒体で形成されているので、厚みが厚い操作用シート片１２２とすることができる。従って、操作用シート片１２２の使用状態のときに、操作用シート片１２２を広げて取り出して使っていても、破損に対する強度や折れ曲がりに対する強度を高いものとすることができる。
【００４８】
本実施の形態１に係る旅行ガイド１では、四国旅行を掲載したものであるが、九州旅行を掲載した情報シート１１としてもよい。この場合でも、操作用シート片１２２は、各情報シート１１に共通したコマンド情報なので、情報シート１１が差し変わっても、差し変わった情報シート１１の内容に、個別に対応させた操作用シート片を別途設ける必要がない。従って、情報シート１１に印刷された視認コンテンツが異なっていても、１枚の操作用シート片１２２によりコマンド情報や付加情報を入力することができる。
【００４９】
操作用シート片１２２に設けられたアイコン群Ａの位置には、情報シート１１に付与されたコードとは体系が異なるものであると共に、それぞれのアイコンと区別可能な識別情報に対応するコードがドットパターンによりコマンド情報として付与されているので、情報提供サーバ４のコード解析手段４４１はこのコマンド情報を解析し、処理手段４４４がコマンド情報に基づいて処理することができる。例えば、アイコンの位置に付与されたコードが、情報シート１１に付与されたコードと同じ体系の読み取られた位置や座標を示す位置情報であると、情報提供サーバ４側で読み取った位置情報から、対応するコマンドを判別するために、位置情報がどのアイコンの範囲に含まれるものか否かの判定が必要となり、処理が煩雑となる。コードが他のアイコンと区別可能な識別情報であると、読み取ったアイコンを識別情報から容易に判断することができるので、情報提供サーバ４側での処理負担や開発負担を軽減することができる。
【００５０】
操作用シート片１２２には、表示画面に表示された表示内容を拡大することを情報提供サーバ４に指示する拡大表示用のコマンド情報を示す「拡大」ボタンＡ１６が印刷されていると共に、「拡大」ボタンＡ１６が印刷された位置に拡大表示用のコマンド情報に対応するコードが付与されているので、表示内容を拡大させる指示を情報提供サーバ４に対して入力することができる。従って、表示画面の内容を拡大表示させるために、例えば、表示画面に表示されたツールバーからドロップダウンするメニューを一つ一つ辿ってコマンドを指定することなく、表示を拡大させる指示を入力することができる。
【００５１】
操作用シート片１２２には、表示画面に、観光地に関する情報の一覧画面を表示させることを情報提供サーバ４に指示する「リスト表示」ボタンＡ１７が印刷されていると共に、「リスト表示」ボタンＡ１７が印刷された位置にリスト表示用のコマンド情報に対応するコードが付与されているので、選択項目を示すリストを表示させる指示を情報提供サーバ４に対して入力することができる。従って、選択項目を示すリスト表示をさせるために、例えば、表示画面に表示されたツールバーからドロップダウンするメニューを一つ一つ辿ってコマンドを指定することなく、リスト表示の指示を入力することができる。
【００５２】
操作用シート片１２２には、表示画面におけるカーソルによる選択位置を所定方向に移動させることを情報提供サーバ４に指示する「上へ」ボタンＡ２１、「決定」ボタンＡ２２、「下へ」ボタンＡ２３、「戻る」ボタンＡ２４、「次へ」ボタンＡ２５が印刷されていると共に、このアイコンが印刷された位置に移動用のコマンド情報に対応するコードが付与されているので、選択位置を所定方向に移動させる指示をコンピュータに対して入力させることができる。従って、読取装置２を持つ手を携帯電話３に持ち変えて携帯電話３の入力手段３２を操作することなく、項目の選択操作を行うことができる。
【００５３】
（実施の形態２）
本発明の実施の形態２に係る入力装置を図面に基づいて説明する。本実施の形態２では、料理ガイドを入力装置として使用した例を説明する。図１５および図１６においては、図１および図２と同じ構成のものは同符号を付して説明を省略する。
図１５に示す料理ガイド１ｘは、料理のレシピに関する情報を検索する入力装置として機能する、リーフレット状の印刷媒体とこの印刷媒体を収納するカバーとを備えた印刷物である。本実施の形態２では、料理としてお好み焼きを例に説明する。
【００５４】
この料理ガイド１ｘを用いた情報提供システム１００ｘは、料理ガイド１ｘからドットパターンで示されるコマンド情報や付加情報などを読み取り、対応するコードに変換する読取装置２と、読み取ったコードを送信したり、提供された情報を表示したりする携帯電話３と、受信したコードに基づいて処理を行い、情報を提供する情報提供サーバ４とを備えている。
【００５５】
図１６に示す料理ガイド１ｘは、印刷媒体である紙媒体に、視認コンテンツとしてユーザに提供する情報が印刷された複数の情報シート１１ｘと、複数の情報シート１１ｘが収納されるカバー１２ｘとを備えている。
情報シート１１ｘは、１ページ分のリーフレットである。情報シート１１ｘは、視認コンテンツとして上端のタイトル欄に料理名が記載され、残りの全部に料理の写真が大きく掲載された料理画像シート１１１ｘから構成されている。図１６に示す料理画像シート１１１ｘでは、視認コンテンツとして、料理名を示す「お好み焼き」の文字と、「お好み焼き」の写真画像とが印刷されている。また、「お好み焼き」の情報シート１１ｘの下には「焼そば」、「シチュー」、「カレーライス」などを掲載した情報シート１１ｘが重ねられている。
この料理画像シート１１１ｘには、「お好み焼き」を示す識別情報に対応するコードが、図３に示すようなドットパターンにより印刷されている。
【００５６】
カバー１２ｘは、実施の形態１と同様に、おもて表紙１２１ａおよび裏表紙１２１ｂからなるカバー本体１２１の裏表紙１２１ｂ側に、裏表紙１２１ｂと同質の紙媒体で形成された操作用シート片１２２ｘが設けられている。この裏表紙１２１ｂの小口側に連設された操作用シート片１２２ｘには、縦列にアイコン群Ｂが印刷されている。
アイコン群Ｂは、コマンドボタン群Ｂ１として、「基本情報」ボタンＢ１１と、「個別情報検索」ボタンＢ１２と、「リスト表示」ボタンＢ１３と、終了ボタンＢ１４とが印刷されている。また、アイコン群Ｂは、動画操作ボタン群Ｂ２として、「再生」ボタンＢ２１と、「停止」ボタンＢ２２と、「クリア」ボタンＢ２３と、「戻る」ボタンＢ２４と、「次へ」ボタンＢ２５と、「上へ」ボタンＢ２６と、「下へ」ボタンＢ２７と、「決定」ボタンＢ２８とが印刷されている。このアイコン群Ｂには、それぞれのアイコンを示す識別情報に対応するコードが、図３に示すドットパターンにより印刷されている。
【００５７】
料理画像シート１１１ｘや操作用シート片１２２ｘに印刷されたドットパターンは、ドットの一つ一つを目視できないような大きさに印刷することにより、視認コンテンツおよびアイコンの見映えを損なわないようにすることが好ましい。
情報提供サーバ４の記憶手段４５には、料理のレシピに関する情報や料理の動画などの料理情報がデータベースとして構築されている（図６参照）。
【００５８】
この料理ガイド１ｘの使用方法は、最初に、料理画像シート１１１ｘに印刷されたドットパターンを読取装置２により読み取ることで付加情報を読み取り、次に、アイコン群Ｂの中から該当するアイコンに印刷されたドットパターンを読取装置２により読み取ることでコマンド情報を読み取って機能選択をする手順である。
【００５９】
例えば、料理画像シート１１１ｘに印刷されたお好み焼の画像に読取装置２を向け、印刷されたドットパターンを読み取る。次に、操作用シート片１２２ｘの「再生」ボタンＢ２１の位置のドットパターンを読み取る。これにより携帯電話３の表示手段３３には、お好み焼きを作るところを撮影した動画が情報提供サーバ４から送信され携帯電話３に表示される。
【００６０】
ユーザは必要に応じて、再生を停止する「停止」ボタンＢ２２、巻き戻しをする「戻る」ボタンＢ２４、先送りする「次へ」ボタンＢ２５を、読取装置２を向け、ドットパターンを読み取ることで、情報提供サーバ４が動画の再生を調整する。
また、料理画像シート１１１ｘに印刷されたお好み焼の画像に読取装置２を向け、印刷されたドットパターンを読み取り、料理がお好み焼きであることを情報提供サーバ４へ通知した後に、「リスト表示」ボタンＢ１３に印刷されたドットパターンを読取装置２により読み取ることで、お好み焼きのレシピを携帯電話３に表示させることができる。
【００６１】
このように、本実施の形態２に係る料理ガイドは、カバー１２ｘと共に情報シート１１ｘを開き、折り畳まれた操作用シート片１２２ｘを取り出すと、料理画像シート１１１ｘとは別の位置に、操作用シート片１２２ｘが位置するので、シート一面全体に視認コンテンツを印刷することができる。従って、シート一面全体に印刷された情報シート１１ｘを見ながら、操作用シート片１２２ｘを開いた状態で、操作用シート片１２２ｘ上を読取装置２により読取操作することで情報提供サーバ４に対してコマンドを入力することができ、料理に関する情報を得ることができる。よって、料理ガイド１ｘは、印刷物として本来の機能を維持しつつ、使い勝手がよいものである。
【００６２】
また、動画の再生に関するアイコン群である動画操作ボタン群Ｂ２が設けられていることで、料理の作り方を確実に理解することができる。
この動画操作ボタン群Ｂ２のうち、「戻る」ボタンＢ２４と、「次へ」ボタンＢ２５と、「上へ」ボタンＢ２６と、「下へ」ボタンＢ２７と、「決定」ボタンＢ２８とは、選択操作ボタンとしても割り当てることが可能である。
【００６３】
操作用シート片１２２ｘは、「お好み焼き」を始めとして各種の料理を掲載した情報シート１１ｘに共通したコマンド情報とすることで、それぞれの情報ページ１１ｘの内容に個別に対応させた操作用シート片を別途設ける必要がない。従って、それぞれの料理が掲載された情報ページ１１ｘを捲りながら１枚の操作用シート片１２２ｘによりコマンド情報や付加情報を入力することができる。
【００６４】
なお、実施の形態１，２においては、操作用シート片１２２，１２２ｘが裏表紙１２１ｂの小口側に連接されていることで、右手が利き手のユーザに使いやすい状態であるが、左手が利き手のユーザが使いやすいように、おもて表紙１２１ａの小口側に連接されていてもよい。また、両方の小口側にそれぞれ操作用シート片が設けられていてもよい。
両方の小口側にそれぞれ操作用シート片が設けられていることで、収納状態において、おもて表紙および裏表紙の間にそれぞれ折り畳んでおくことで、破損や汚れを防止することができる。
【００６５】
また、本実施の形態１，２では、携帯電話３が、読取装置２からのコードを情報提供サーバ４へ送信したり、情報提供サーバ４からの表示画面を表示したりしていたが、携帯電話３の代わりに、デスクトップ型やノートブック型などのパーソナルコンピュータを使用して、情報提供サーバ４へコードを送信したり、情報提供サーバ４からの表示画面を受信したりすることも可能である。更に、情報提供サーバ４に読取装置２を直接接続する構成とすることも可能である。
【００６６】
また、本実施の形態１，２では、旅行ガイド１、料理ガイド１ｘに印刷された読み取り可能なコードとして光学的に読み取るドットパターンとしているが、磁気的なパターンを付与してもよい。
【産業上の利用可能性】
【００６７】
本発明は、パンフレット、ガイドブック、マニュアルなどのリーフレット状の印刷物には好適である。
【符号の説明】
【００６８】
１…旅行ガイド、１１…情報シート、１２…カバー、１２１…カバー本体、１２１ａ…おもて表紙、１２１ｂ…裏表紙、１２２…操作用シート片、１２３…ポケット、Ａ…アイコン群
１ｘ…料理ガイド、１１ｘ…情報シート、１２ｘ…カバー、１２２ｘ…操作用シート片、Ｂ…アイコン群
【図１】
2010198245.tif 000003
【図３】
2010198245.tif 000004
【図４】
2010198245.tif 000005
【図５】
2010198245.tif 000006
【図６】
2010198245.tif 000007
【図１５】
2010198245.tif 000008
【図１６】
2010198245.tif 000009
【図２】
2010198245.tif 000010
【図７】
2010198245.tif 000011
【図８】
2010198245.tif 000012
【図９】
2010198245.tif 000013
【図１０】
2010198245.tif 000014
【図１１】
2010198245.tif 000015
【図１２】
2010198245.tif 000016
【図１３】
2010198245.tif 000017
【図１４】
2010198245.tif 000018